(57)【特許請求の範囲】
【請求項１】
容器と，容器の側壁面に取り付けて使用され，容器の側壁面との間にカードを挟んで保持するカードホルダとを有するカードホルダ付き容器において，
前記容器は，
底面および側壁面と，
いずれも前記側壁面から迫り出して形成された，前記底面に交差する方向の第１リブ部および第２リブ部と，これらと交差する方向のフランジ部とを有し，
前記カードホルダは，
前記容器における前記第１リブ部と前記第２リブ部とを結ぶ方向に配置されるとともに，保持するカードの一辺に沿う長手形状の基部と，
前記基部に形成され，前記カードホルダを前記容器に取り付けた状態では前記容器の前記側壁面に押し付けられる可撓性の部分である挟着部と，
前記基部における長手方向に対して前記挟着部とは別の場所に，前記挟着部に対面して設けられ，前記カードホルダを容器に取り付けた状態では容器の側壁面側とは反対側となる面に，前記挟着部に近い位置ほど容器の側壁面に近く，前記挟着部から遠い位置ほど容器の側壁面から遠い傾斜領域が形成されている第１ガイド傾斜部とを有し，
前記挟着部の前記第１ガイド傾斜部側の縁辺に，前記第１ガイド傾斜部に近い位置ほど容器の側壁面から遠く，前記第１ガイド傾斜部から遠い位置ほど容器の側壁面に近い傾斜面である第２ガイド傾斜部が形成されており，
前記容器における，少なくとも３辺が前記フランジ部，前記第１リブ部，および前記第２リブ部により区画されたカード保持用範囲内に取り付けられるものであることを特徴とするカードホルダ付き容器。
【請求項２】
請求項１に記載のカードホルダ付き容器において，前記カードホルダは，
前記挟着部と前記基部とを接続する脚部を有し，
前記第１ガイド傾斜部に近い位置ほど容器の側壁面から遠く，前記第１ガイド傾斜部から遠い位置ほど容器の側壁面に近い傾斜面である第３ガイド傾斜部が形成されているものであることを特徴とするカードホルダ付き容器。
【請求項３】
請求項１または請求項２に記載のカードホルダ付き容器において，
前記カードホルダを前記容器に取り付けた状態では，前記カードホルダのいかなる場所でも，その前記側壁面からの高さが，前記第１リブ部の前記側壁面からの高さより低いことを特徴とするカードホルダ付き容器。
【請求項４】
容器の側壁面に取り付けて使用され，容器の側壁面との間にカードを挟んで保持するカードホルダにおいて，
保持するカードの一辺に沿う長手形状の基部と，
前記基部に形成され，前記カードホルダを容器に取り付けた状態では容器の側壁面に押し付けられることとなる可撓性の部分である挟着部と，
前記基部における長手方向に対して前記挟着部とは別の場所に，前記挟着部に対面して設けられ，前記カードホルダを容器に取り付けた状態では容器の側壁面側とは反対側となる面に，前記挟着部に近い位置ほど容器の側壁面に近く，前記挟着部から遠い位置ほど容器の側壁面から遠い傾斜領域が形成されている第１ガイド傾斜部とを有し，
前記挟着部の前記第１ガイド傾斜部側の縁辺に，前記第１ガイド傾斜部に近い位置ほど容器の側壁面から遠く，前記第１ガイド傾斜部から遠い位置ほど容器の側壁面に近い傾斜面である第２ガイド傾斜部が形成されていることを特徴とするカードホルダ。
【請求項５】
請求項４に記載のカードホルダにおいて，
前記挟着部と前記基部とを接続する脚部を有し，
前記第１ガイド傾斜部に近い位置ほど容器の側壁面から遠く，前記第１ガイド傾斜部から遠い位置ほど容器の側壁面に近い傾斜面である第３ガイド傾斜部が形成されていることを特徴とするカードホルダ。
【発明の詳細な説明】
【技術分野】
【０００１】
本発明は，工業用部品その他の物品を収納する容器であって，収納物あるいは容器自身に関する種々の情報を表示するカードを着脱自在に装着するためのカードホルダを備えたカードホルダ付き容器，およびそのカードホルダに関するものである。
【背景技術】
【０００２】
従来から，製造や流通の現場では，部品等の取り扱い対象物品の保管や運搬を，適宜の容器により行っている。これらの容器においては，収納している物の品名や品番その他の属性情報を表示する必要がある。そこで特許文献１では，この種の容器に取り付けるカード差しを開示している。このカード差しは，容器に取り付けられた状態では，その「弾性挟着片」の部分が容器の側壁外面に弾性的に圧着させられるようになっている。この弾性挟着片と容器の側壁外面との間にカードを挟んで保持するのである。
【先行技術文献】
【特許文献】
【０００３】
【特許文献１】特許第４２２７８３６号公報
【発明の概要】
【発明が解決しようとする課題】
【０００４】
しかしながら，前記した従来の技術のカード差しでは，カードの着脱が必ずしも容易ではなかった。なぜなら，通常，この種の容器では，カードの着脱を行うための十分なスペースがカード装着位置の周囲にある訳ではないからである。すなわち，このようなカードの装着を行う容器は多くの場合，特許文献１の図３に示されるように，カード装着位置，つまりカード差し取付位置の周囲が，フランジやリブにより区画されているからである。このためフランジやリブが，カードの脱着操作（特に取り外しの際）の邪魔になることがあるのである。さらに，この脱着操作を行う作業者は手袋をしている場合が多く，その場合には余計に作業が困難である。手袋をしていると指先の微妙な感覚が得られず，さらにカードが滑りやすいからである。
【０００５】
本発明は，前記した従来の技術が有する問題点を解決するためになされたものである。すなわちその課題とするところは，容器の構造上，リブやフランジによりカードの脱着作業スペースが限定されている場合であっても，カードの着脱作業を容易に行うことができるようにしたカードホルダを備えたカードホルダ付き容器，およびそのカードホルダを提供することにある。
【課題を解決するための手段】
【０００６】
本発明の一態様におけるカードホルダ付き容器は，容器と，容器の側壁面に取り付けて使用され，容器の側壁面との間にカードを挟んで保持するカードホルダとを有するものである。ここで容器は，底面および側壁面と，いずれも側壁面から迫り出して形成された，底面に交差する方向の第１リブ部および第２リブ部と，これらと交差する方向のフランジ部とを有する。カードホルダは，容器における第１リブと第２リブとを結ぶ方向に配置されるとともに，保持するカードの一辺に沿う長手形状の基部と，基部に形成され，カードホルダを容器に取り付けた状態では容器の側壁面に押し付けられる可撓性の部分である挟着部と，基部における長手方向に対して挟着部とは別の場所に，挟着部に対面して設けられ，カードホルダを容器に取り付けた状態では容器の側壁面側とは反対側となる面に，挟着部に近い位置ほど容器の側壁面に近く，挟着部から遠い位置ほど容器の側壁面から遠い傾斜領域が形成されている第１ガイド傾斜部とを有し，挟着部の第１ガイド傾斜部側の縁辺に，第１ガイド傾斜部に近い位置ほど容器の側壁面から遠く，第１ガイド傾斜部から遠い位置ほど容器の側壁面に近い傾斜面である第２ガイド傾斜部が形成されており，容器における，少なくとも３辺がフランジ部，第１リブ部，および第２リブ部により区画されたカード保持用範囲内に取り付けられるものである。
【０００７】
上記態様におけるカードホルダ付き容器では，カードホルダを容器の所定の位置に取り付けると，カードホルダの挟着部が容器の側壁面に押し付けられた状態となる。この，挟着部と側壁面との間にカードを挟み込んで保持する。カードを挿入するときは，カードをカードホルダの第１ガイド傾斜部の傾斜領域に沿ってスライドさせ，挟着部と側壁面との間に進入させる。カードを取り出すときは，カードのうちの傾斜領域上の部分を指で押さえつつ挟着部から遠ざける向きにスライドさせる。あるいは，カードの長さが短く傾斜領域にかかっていない場合には，カードのうち挟着部に覆われていない部分に接触し，カードを第１ガイド傾斜部に向けてスライドさせればよい。すると，スライド移動するカードは，傾斜面に倣って自然に容器の側壁面から浮き上がってくる。このため，容器のフランジ部やリブ部等に引っかかることなく自然に取り出される。このため，カードの取り付けおよび取り出しの操作が容易である。なお，カードホルダの挟着部は，カードの券面全体を覆うのではなく，少なくとも券面の一部を外部から認識できるように可視部が設けられることが好ましい。この可視部を通してカードに接触すればよい。
【０００８】
ここで，カードホルダを容器に取り付けた状態では，カードホルダのいかなる場所でも，その側壁面からの高さが，第１リブ部の側壁面からの高さより低いこととするとよい。このようにすると，カードホルダ自体が容器のフランジ部やリブ部の高さを越えてはみ出ることがない。さらに，傾斜領域の傾斜面を挟着部とは反対側に延長した仮想面の第１リブ部上での側壁面からの高さが，第１リブ部の側壁面からの高さより高いこととするとなおよい。これにより，傾斜領域に沿って取り出されたカードが第１リブ部に引っかかることが確実に防止される。このため，第１リブ部とカードとを指で摘みつつ，カードを指で第１ガイド傾斜部に押さえつけつつスライドさせることでカードを簡単に取り出すことができる。
【０００９】
この場合にさらに，カードホルダを容器に取り付けた状態では，カードホルダの第１ガイド傾斜部における挟着部とは反対側の端面と，容器の第１リブ部との間隔が，５ｍｍ以下，より好ましくは３ｍｍ以下であることとするとよい。当該間隔がこのくらい狭ければ，通常のカード挿入動作を行っていてそれでもカードの先端が当該隙間に進入してしまうことがない。むろん，端面と第１リブ部とが密着していてもよい。
【００１０】
上記態様におけるカードホルダ付き容器ではさらに，容器の対向フランジ部に，カード保持範囲に向けて覆い被さるオーバーハング部を有し，カードホルダの第１ガイド傾斜部に，カードホルダを容器に取り付けた状態ではオーバーハング部と側壁面との間の隙間に位置する係合凸部が設けられていることとするとよりよい。このようにすると，係合凸部とオーバーハング部との引っかかりにより，第１ガイド傾斜部が倒れ込んでくることが防止される。
【００１１】
また，本発明の別の態様によるカードホルダは，容器の側壁面に取り付けて使用され，容器の側壁面との間にカードを挟んで保持するものであって，保持するカードの一辺に沿う長手形状の基部と，基部に形成され，カードホルダを容器に取り付けた状態では容器の側壁面に押し付けられることとなる可撓性の部分である挟着部と，基部における長手方向に対して挟着部とは別の場所に，挟着部に対面して設けられ，カードホルダを容器に取り付けた状態では容器の側壁面側とは反対側となる面に，挟着部に近い位置ほど容器の側壁面に近く，挟着部から遠い位置ほど容器の側壁面から遠い傾斜領域が形成されている第１ガイド傾斜部とを有し，挟着部の第１ガイド傾斜部側の縁辺に，第１ガイド傾斜部に近い位置ほど容器の側壁面から遠く，第１ガイド傾斜部から遠い位置ほど容器の側壁面に近い傾斜面である第２ガイド傾斜部が形成されているものである。このようなカードホルダを容器に取り付けることで，本発明における前述の態様のカードホルダ付き容器が得られる。
【００１２】
また，カード取り付け時におけるカードの挟着部の上への乗り上げが防止される。
【００１３】
上記態様のカードホルダ，もしくは前述の態様のカードホルダ付き容器におけるカードホルダは，挟着部と基部とを接続する脚部を有し，第１ガイド傾斜部に近い位置ほど容器の側壁面から遠く，第１ガイド傾斜部から遠い位置ほど容器の側壁面に近い傾斜面である第３ガイド傾斜部が形成されていることとするとよい。これにより，カード取り付け時におけるカードの脚部の上への乗り上げも防止される。
【００１４】
さらに，脚部に，第１ガイド傾斜部に近い方の第１脚部と遠い方の第２脚部とがあり，第１脚部と第２脚部のいずれにも第３ガイド傾斜部が形成されており，第１脚部の第３ガイド傾斜部は，第２ガイド傾斜部と繋がっていることとするとよい。これにより，カード取り付け時におけるカードの第２脚部の上への乗り上げも防止される。
【００１５】
上記態様に係るカードホルダではまた，基部における挟着部が形成されている部位よりも容器の側壁面側に，カードホルダを容器に取り付けた状態では容器の側壁面の一部を覆う背板部が形成されていることとするとよい。これにより，容器に別のカードホルダの取り付けのための形状が設けられていたとしても，背板部で覆い隠してしまうことができる。これにより，そうした形状がカードの差し込みまたは取り出し動作に対して支障となることがない。
【発明の効果】
【００１６】
本構成によれば，容器の構造上，リブやフランジによりカードの脱着作業スペースが限定されている場合であっても，カードの着脱作業を容易に行うことができるようにしたカードホルダを備えたカードホルダ付き容器，およびそのカードホルダが提供されている。
【図面の簡単な説明】
【００１７】
【図１】実施の形態に係る容器の全体斜視図である。
【図２】実施の形態に係る容器の一部の側面断面図である。
【図３】実施の形態に係るカードホルダの正面側の斜視図である。
【図４】実施の形態に係るカードホルダの背面側の斜視図である。
【図５】図１の容器にカードホルダを装着した状態を示す全体斜視図である。
【図６】カードホルダを装着した容器の平面断面図（その１）である。
【図７】図６に示されるものを斜めに見た斜視断面図である。
【図８】図６中のガイド傾斜部（１３）および第１縦リブ（５１）を拡大して示す部分断面図である。
【図９】カードホルダを装着した容器の平面断面図（その２）である。
【図１０】図９に示されるものを斜めに見た斜視断面図である。
【図１１】カードホルダを装着した容器の側面断面図（その１）である。
【図１２】カードホルダを装着した容器の側面断面図（その２）である。
【図１３】図１２に示されるものを斜めに見た斜視断面図である。
【図１４】カードホルダを装着した容器の側面断面図（その３）である。
【図１５】図１４に示されるものを斜めに見た斜視断面図である。
【図１６】実施の形態の変形例に係るカードホルダの正面側の斜視図である。
【発明を実施するための形態】
【００１８】
以下，本発明を具体化した実施の形態について，添付図面を参照しつつ詳細に説明する。本形態は，合成樹脂製の角形容器とそれに取り付けるカードホルダとして本発明を具体化したものである。
【００１９】
まず，本発明の適用対象となる容器について簡単に説明する。本実施の形態に係る容器１を，図１に示す。図１に示される容器１は，全体として平坦な角形形状の，上向きに開口した容器である。容器１は，底面板２と，その四辺に上向きに設けられ側壁面をなす側壁板３とによりバスタブ状の全体形が構成されているものである。容器１を上方から見ると，長辺と短辺とからなる長方形状であり，図１中に正面として見えているのは，容器１の短辺側の側壁面である。
【００２０】
容器１における側壁板３の外面側は，単なる平面ではなく，フランジ部やリブ部が形成された面である。これらは，側壁板３から外向きに迫り出して形成された板状の突起部であり，容器全体としての剛性確保や運搬時の操作性のために設けられているものである。容器１に形成されているフランジ部やリブ部のうち，本形態として特に関係があるものについて説明する。
【００２１】
容器１には，フランジ部として，上フランジ部４１と，下フランジ部４２とが形成されている。上フランジ部４１は，容器１の側壁板３の高さ方向の上端のレベルに設けられている。下フランジ部４２は，同じく下端のレベル，すなわち底面板２とほぼ同じ高さの位置に設けられている。これらはいずれも，側壁板３の全周にわたって形成されている。容器１に形成されているリブ部は，多数あるが，そのうち本形態として特に関係があるのは，図１中の正面に形成されている第１縦リブ５１，第２縦リブ５２である。これらの縦リブはいずれも，上フランジ部４１から下フランジ部４２にわたって縦方向に形成されている。よって，上フランジ部４１や下フランジ部４２は，第１縦リブ５１と第２縦リブ５２とを結ぶ方向に形成されているといえる。
【００２２】
容器１の正面部分の側壁板３の外面のうち，上フランジ部４１，下フランジ部４２，第１縦リブ５１，第２縦リブ５２によって区画された長方形の領域が，カードホルダ取付領域６である。カードホルダ取付領域６内は，上記以外のフランジ部やリブ部が存在しない平坦な部分となっている。ここに，後述するカードホルダが取り付けられる。図１では，カードホルダを取り付けていない状態を示している。
【００２３】
カードホルダ取付領域６における，図１中Ｆ−Ｆ位置の断面図を図２に示す。図２に示されるように，この範囲内の上フランジ部４１には，その最も外寄りの位置に下向きに，オーバーハング部４３が形成されている。オーバーハング部４３は，上フランジ部４１とともに，カードホルダ取付領域６の上端付近に下向きに開口する空間４４を形成している。オーバーハング部４３は，第１縦リブ５１から第２縦リブ５２にわたって形成されている。カードホルダ取付領域６内には，この他，突起部６１，６２，凹部６３が形成されている。これらについては後述する。なおオーバーハング部４３自体の本来の目的は，容器１を手で運搬する際に指を掛ける箇所とすることである。
【００２４】
次にカードホルダについて説明する。図３および図４に，本実施の形態に係るカードホルダ１０の斜視図を示す。図３が，カードホルダ１０を容器１に装着したときに正面側となる側，つまり外部から見える側である。図４はその裏面側で，カードホルダ１０を容器１に装着したときに側壁板３に対面する側である。図３および図４に示されるカードホルダ１０は，基部１１と，この基部１１に設けられた挟着部１２およびガイド傾斜部１３とを有している。容器１への装着状態では，このカードホルダ１０の全体がカードホルダ取付領域６内に収まる。なおカードホルダ１０は，容器１と比較して柔軟性の高い合成樹脂で形成されており，全体が弾性体である。
【００２５】
基部１１は，カードホルダ１０を容器１に装着したときに，下フランジ部４２に沿って位置する部分である。また，カードを取り付けたときにカードの一辺が基部１１に沿って位置することとなる。よって基部１１は，おおむね，取り付けるカードの左右方向長程度の長さである。それでも，容器１におけるカードホルダ取付領域６内に収まる長さである。図４に示されるように基部１１の裏面には，突起部１４が形成されている。突起部１４は，前述の凹部６３に嵌め込まれてカードホルダ１０をカードホルダ取付領域６に固定するための形状である。なお，容器１における凹部６３の形成位置は，カードホルダ取付領域６内における下フランジ部４２の上面である。また，基部１１の上面側には，上記の他に，背板部２４が形成されている。
【００２６】
挟着部１２は，カードホルダ１０を容器１に装着したときに，基部１１より上方に位置し，容器１の側壁板３（もちろんカードホルダ取付領域６内）との間にカードを挟み込む部分である。このため挟着部１２は，容器１への装着状態では，側壁板３に対して弾性的に押し付けられるようになっている。この点は特許文献１の図２で説明されているのと同じことである。挟着部１２は，脚部１５，１６により基部１１に接続されている。基部１１，挟着部１２，脚部１５，１６に囲まれた範囲は，貫通している開口部２３とされている。開口部２３は，カードの券面をユーザーに見せる可視部となっている。挟着部１２にはさらに，摘み部１７が形成されている。また，脚部１５，１６には，傾斜部２１，２２が形成されている。
【００２７】
ガイド傾斜部１３は，基部１１に対して挟着部１２とは別に形成されている。ガイド傾斜部１３と挟着部１２とは，基部１１の長手方向に対して異なる場所に配置されている。ガイド傾斜部１３は，挟着部１２と対面して配置されている。また，カードホルダ１０を容器１に装着したときに，第１縦リブ５１に当接して，ないしは近接して位置するように配置されている。ガイド傾斜部１３の正面側の面には，傾斜面１８と頂面１９とが形成されている。ガイド傾斜部１３における基部１１とは反対側の先端部には，突起部２０が形成されている。なお，図４から分かるように，ガイド傾斜部１３の内部は中実である必要はなく，中空でよい。ガイド傾斜部１３と基部１１とは，背板部２４を介して接続されている。
【００２８】
以下，カードホルダ１０について，容器１に装着した状態での図によりさらに説明する。図５に，容器１にカードホルダ１０を装着した状態での斜視図を示す。図５に示されるように，装着状態でのカードホルダ１０は，カードホルダ取付領域６内に収まっている。また，この状態では，ガイド傾斜部１３と第１縦リブ５１との間の隙間はごく狭い。さらに，ガイド傾斜部１３の突起部２０は，図５の状態ではオーバーハング部４３に隠れて見えない。
【００２９】
図５に示すカードホルダ１０付きの容器１の，底面板２と平行な切断面による断面図を図６および図７に示す。図６は真上から見た平面断面図であり，図７は斜め上から見た斜視断面図である。図６および図７における切断位置の高さは，図５中のＧ−Ｇ位置のレベルである。この高さは，容器１における上フランジ部４１と下フランジ部４２との中間のレベルであり，カードホルダ１０の挟着部１２およびガイド傾斜部１３を切断し背板部２４を切断しないレベルである。
【００３０】
図６および図７により，ガイド傾斜部１３について説明する。これらの図から明らかなように，ガイド傾斜部１３の傾斜面１８は，ガイド傾斜部１３において側壁板３側とは反対側に位置する面である。そして傾斜面１８は，挟着部１２に近い位置ほど容器１の側壁板３に近く，挟着部１２から遠い位置ほど側壁板３から遠くなっている領域である。この傾斜はむろん，カードホルダ１０と容器１との間にカードを挿入しまたは取り出すときの作業性のためのものである。
【００３１】
本形態では，カードの脱着は，カードを図５中水平方向にスライド移動させて行う。カードの装着の際には，カードの左端を傾斜面１８上に位置させ，傾斜面１８に沿ってカードを図５中左向きにスライド移動させていく。これによりカードの左端が傾斜面１８の傾斜にガイドされ，自然に挟着部１２と側壁板３との間へ向かって進入していく。このときのカードの進入方向を，図６中には矢印Ｈで示す。このとき，摘み部１７を指で摘んで挟着部１２を側壁板３から少し離間させ，カードの左端が進入しやすいようにしてもよい。
【００３２】
また，装着しているカードを取り出すときには，カードのうちの傾斜面１８上の部分を指で押さえつつ挟着部１２から遠ざける向きにスライドさせればよい。あるいは，カードの左右長が短く傾斜面１８にかかっていない場合には，開口部２３を通してカードに指で接触し，図５中右向きにスライド移動させればよい。するとカードの右端が，スライド移動とともに傾斜面１８により自然に側壁板３から離間してくる。カードの右端が容器１の第１縦リブ５１に引っかかるようなことがなく，スムーズに取り出しがなされる。このようにカードの脱着をガイドすることが，ガイド傾斜部１３の傾斜面１８の役割である。
【００３３】
ガイド傾斜部１３と第１縦リブ５１との関係について，図８によりさらに説明する。図８は，図６中のガイド傾斜部１３および第１縦リブ５１の部分を拡大して示す図である。図８に示されるように，傾斜面１８を頂面１９や第１縦リブ５１へ向けて延長した仮想傾斜線１８Ｘと，第１縦リブ５１とを比較すると，第１縦リブ５１は仮想傾斜線１８Ｘに接していない。つまり傾斜面１８は，その延長線１８Ｘが，第１縦リブ５１の側壁板３からの突出高さＴ２よりも，第１縦リブ５１の位置にて高くなる（Ｔ３）ようにされている。これはむろん，カードの取り出し時にカードの右端が第１縦リブ５１に引っかからないようにするためである。このようになっているため，第１縦リブ５１とカードとを指で摘みつつ，カードを指で傾斜面１８に押さえつけつつスライドさせることでカードを簡単に取り出すことができる。
【００３４】
また，ガイド傾斜部１３の頂面１９の側壁板３からの高さＴ１は，第１縦リブ５１の側壁板３からの突出高さＴ２よりも低くされている。これは２つの理由による。１つは，カードを装着するときにカードの左端がガイド傾斜部１３に引っかかることを防止するためである。もう１つは，容器１同士を並置する際に，カードホルダ１０が他の容器と干渉することを防ぐためである。もし，ガイド傾斜部１３などカードホルダ１０が第１縦リブ５１よりも突出していると，容器１を真上から見たときに，カードホルダ１０が第１縦リブ５１よりはみ出ていることになる。これでは，容器同士を並べて密着させて置く際にカードホルダ１０が邪魔することになる。これを防ぐために上記のようにしている。なお図８ではカードホルダ１０のうちガイド傾斜部１３の部分のみ示しているが，カードホルダ１０における他の部分も同様に，第１縦リブ５１等の高さを越えないようにされている。
【００３５】
さらに，ガイド傾斜部１３における第１縦リブ５１側の面２５と，第１縦リブ５１との間に間隔を設ける場合，その隙間Ｓは，５ｍｍ以下，より好ましくは３ｍｍ以下である。隙間Ｓが広いと，カード装着時に，カードの左端が隙間Ｓに進入してしまうことがある。これを防ぐためには面２５と第１縦リブ５１とが密着していれば（隙間０）理想的だが，それに限らず，隙間Ｓが上記のようにある程度小さければ実質的に問題ない。実際，隙間０だとカードホルダ１０自体の装着時にストレスが掛かるので，その点では多少間隔があった方がよい。本発明者の実験によれば，隙間Ｓは，５ｍｍ以下であれば，カードの種類にかかわらずその左端が進入してしまうことはない。むろん，ことさらに隙間Ｓのところを狙ってカードをそこへ進入させるような動作をせず，普通に傾斜面１８を利用してカードを取り付ける動作をすることを前提とする。
【００３６】
図６および図７に戻って，傾斜部２１について説明する。傾斜部２１は，脚部１５におけるガイド傾斜部１３側の縁辺に設けられている傾斜領域である。傾斜部２１の傾斜の向きは，ガイド傾斜部１３から遠い位置ほど側壁板３に近く，ガイド傾斜部１３に近い位置ほど側壁板３から遠くなる向きである。なお，図３や図４から分かるように，傾斜部２１は，脚部１５のみならず，挟着部１２におけるガイド傾斜部１３側の縁辺にも跨って形成されている。傾斜部２１が設けられている目的はむろん，カードの装着動作のためである。カードが反っていると，装着時にその左端が挟着部１２や脚部１５に乗り上げてしまう可能性がある。傾斜部２１はこの乗り上げを防ぐものである。
【００３７】
カードホルダ１０について，図９および図１０によりさらに説明する。これらの図は，カードホルダ１０付きの容器１の，底面板２と平行な切断面による断面図である点で図６および図７と共通する。ただし図９および図１０は，図６および図７よりも低い，図５中のＫ−Ｋレベルでの断面図である。この高さでは，挟着部１２が切断されず脚部１５，１６が切断されている。ガイド傾斜部１３も，基部１１との接続部分のみしか切断されない。したがって図９および図１０には，挟着部１２が現れていない。ガイド傾斜部１３もほとんど現れていない。
【００３８】
図９および図１０から分かるように，脚部１６に設けられている傾斜部２２も，脚部１５の傾斜部２１と同じ向きに傾斜した面である。すなわち傾斜部２２は，脚部１６におけるガイド傾斜部１３側の縁辺に形成されており，ガイド傾斜部１３から遠い位置ほど側壁板３に近く，ガイド傾斜部１３に近い位置ほど側壁板３から遠い傾斜面である。この傾斜部２２により，カードの装着動作がある程度進行した時点でも，カードとカードホルダ１０との引っかかりが防止される。すなわち，カードの反りの程度によっては，装着時にその左端が脚部１５を通過した後に脚部１６に乗り上げてしまう可能性がある。傾斜部２２によりこの乗り上げが防がれる。
【００３９】
図９および図１０により，突起部６１（図１で既出）とカードホルダ１０との関係について説明する。突起部６１は，カードホルダ取付領域６における下フランジ部４２よりわずかに上の位置に，第１縦リブ５１または第２縦リブ５２と側壁板３とにわたってＬ字状に設けられている平板状の突起部である。突起部６１は，カードホルダ取付領域６内の左右両端に設けられている。取付状態のカードホルダ１０の基部１１の左右両端は，突起部６１と下フランジ部４２との間の隙間に挿入されている。これにより，基部１１が下フランジ部４２から浮き上がって容器１０から簡単に外れてしまうことがないようにされている。
【００４０】
また，カードホルダ１０の背板部２４（図３および図４で既出）は，基部１１の長手方向（図９中左右方向）の全体に対してかなりの部分を占める範囲に形成されている。ただし，突起部６１と干渉しない程度に基部１１より短くされている。この背板部２４の右端位置から上方に向けて，前述のガイド傾斜部１３が形成されている。また，背板部２４は，基部１１において，脚部１５，１６と比較して，奥行き方向奥寄りの位置，すなわちより側壁板３に近い位置に形成されている。ただし，側壁板３に密着するのではなく，ある程度の間隔を置いている。突起部６１や突起部６２（これも図１で既出）と干渉しないためである。
【００４１】
図１１に，カードホルダ１０付きの容器１の縦断面図を示す。図１１は，図５中Ａ−Ａ位置の側面断面図である。この位置は，カードホルダ１０において，ガイド傾斜部１３が存在し挟着部１２は存在しない位置である。図１１から分かるように，カードホルダ１０の装着状態では，ガイド傾斜部１３の先端の突起部２０（図３および図４で既出）が上フランジ部４１のオーバーハング部４３（図２で既出）の裏側に入り込んでいる。つまり突起部２０は，オーバーハング部４３と上フランジ部４１と側壁板３とにより区画される空間４４に進入している。このため，ガイド傾斜部１３が前方（図１１中では左方）に倒れてくることが，オーバーハング部４３により阻止されている。
【００４２】
図１２に，図５中Ｂ−Ｂ位置の側面断面図を示す。この位置は，カードホルダ１０において，挟着部１２の摘み部１７や脚部１５（いずれも図３，図４参照）が存在する位置である。よってこの図には，ガイド傾斜部１３は現れていない。また，この位置は，凹部６３（図１で既出）や突起部１４（図４で既出）が形成されている位置でもある。図１２に示されるものを斜めに見た図を図１３に示す。図１２と図１３から，カードホルダ１０付きの容器１の縦断面図では，容器１の凹部６３にカードホルダ１０の突起部１４がはまり込んでいることが分かる。
【００４３】
また，図１２から，容器１に形成されている突起部６２（図１で既出）が，背板部２４により覆い隠されていることが分かる。突起部６２は，本形態のカードホルダ１０とは異なる別のカードホルダを容器１に取り付けるための形状である。すなわち容器１は，本形態のものとしての使用と，本形態以外のものとしての使用に兼用できるものである。よって本形態としては突起部６２は必要なものではない。ただ，本形態のカードホルダ１０を取り付けて使用する場合には，背板部２４により，余計な突起部６２が隠れてしまう。このため，カード装着時にカードの左端が突起部６２に引っかかるようなことがない。
【００４４】
図１４に，図５中Ｃ−Ｃ位置の側面断面図を示す。この位置は，カードホルダ１０において，挟着部１２は存在するが脚部１５も脚部１６も存在しない位置である。図１４に示されるものを斜めに見た図を図１５に示す。これらの図に見る挟着部１２は，カードホルダ１０を容器１に取り付けていない自由状態では本来，図１４中に示される位置よりも図中右寄りに位置するものである。取付状態では，カードホルダ１０の柔軟性と側壁板３の存在とにより図示の位置となっている。つまり挟着部１２は，側壁板３に弾性的に押圧される状態となっている。このため，一旦装着したカードが独りでに脱落してしまうようなことはない。なお，図１４では挟着部１２と側壁板３との間にわずかに隙間があるように描いているが，これは，ここにカードを挟み込むことを示すためである。
【００４５】
上記のようなカードホルダ１０を容器１に取り付ける際には，まず，ガイド傾斜部１３の先端の突起部２０を，オーバーハング部４３の裏の空間４４に突っ込む。そして，基部１１の左右両端を第１縦リブ５１および第２縦リブ５２に合わせつつ，基部１１を側壁板３に向けて押し込む。これにより，基部１１の左右両端が突起部６１と下フランジ部４２との間の隙間に進入していき，最後に凹部６３に突起部１４がはまり込むと取り付け完了である。この押し込み動作の途中で挟着部１２が側壁板３に接触し，以後挟着部１２および脚部１５，１６は弾性変形することとなる。なお，容器１としては，既存のものであっても，カードホルダ取付領域６のサイズやその下部の突起部６１，凹部６３の形状さえ合えば使用可能である。突起部６２はあってもなくても関係ない。すなわちカードホルダ１０は，該当する容器１を既に所有している需要家に対しては，単体で提供しても意味がある。
【００４６】
次に，本形態のカードホルダの変形例を，図１６により説明する。図１６は，変形例に係るカードホルダ３０の正面側を示す斜視図である。この図は，前述の図３の場合とだいたい同じ方向からカードホルダ３０を見た図である。図３のものと図１６のものとの相違点は，ガイド傾斜部１３とガイド傾斜部３３との違いにある。挟着部１２など他の部分は共通である。
【００４７】
図１６のガイド傾斜部３３では，平板部分が裏面側を向いており，内部リブ３１が正面側から見えている。つまり，図１６に見えるガイド傾斜部３３は，前述のカードホルダ１０でいえば図４の裏面側斜視図に見られるガイド傾斜部１３のような形状である。逆に図１６のカードホルダ３０を裏面側から見たとすれば，そのガイド傾斜部３３は，図３中のガイド傾斜部１３のように面で覆われた構造のものとして見えることとなる。ただし，このような構造のガイド傾斜部３３であっても，その内部リブ３１の形状により，傾斜面に相当する部分３８と頂面に相当する部分３９とが形成されている。このような構造のカードホルダ３０であっても，図３等に示したカードホルダ１０の場合と同様の効果が得られるものである。つまり，本発明における傾斜領域や頂部領域といった概念は，図１６のようなものを含んでいる。
【００４８】
以上詳細に説明したように本実施の形態によれば，カードホルダ１０に，カードを挟着する挟着部１２とは別にガイド傾斜部１３を設け，ガイド傾斜部１３の傾斜面１８により，カードの抜き差し動作をガイドするようにしている。さらに，挟着部１２を基部１１に接続する脚部１５，１６にも，ガイド傾斜部１３の傾斜面１８に倣った向きの傾斜面２１，２２を設け，特に挿入時のカードの動作をよりスムーズにしている。また，ガイド傾斜部１３の先端に突起部２０を設け，容器１に装着した際にオーバーハング部４３の裏側に入り込むようにしている。これにより，装着後のカードホルダ１０が前方へ倒れ込んでくることを防止している。このため，カードの装着時，取り出し時いずれでも，カードが引っかかることがない。したがって，容器１の構造上，リブやフランジによりカードの脱着作業スペースが限定されていたとしても，カードの着脱作業を容易に行うことができるようにしたカードホルダ１０を備えたカードホルダ付き容器１，およびそのカードホルダ１０が実現されている。カードホルダ３０も同様である（以下も同じ）。
【００４９】
なお，本実施の形態は単なる例示にすぎず，本発明を何ら限定するものではない。したがって本発明は当然に，その要旨を逸脱しない範囲内で種々の改良，変形が可能である。例えば，実施の形態中に示した傾斜面２１，傾斜面２２，摘み部１７，突起部２０，背板部２４といった要素は，あればよりよい，というものであって，本発明に不可欠な訳ではない。また，突起部１４，突起部６１，凹部６３といった，カードホルダ１０を容器１に取り付けるための構造については，図示通りでなく，別の形状や位置でもよい。例えば，突起部１４は，カードホルダ１０における基部１１以外の別の場所に設けられていてもよい。そのため，容器１における凹部６３の位置も，下フランジ部４１に限らず，側壁板３あるいは第１縦リブ５１や第２縦リブ５２に形成されていてもよい。なお，容器１において，下フランジ部４１自体がないものであってもよい。
【００５０】
また，カードホルダ１０の挟着部１２が２本の脚部１５，１６によって基部１１に繋がっているという構成も必須ではない。１本の脚部のみによって挟着部１２と基部１１とが繋がっている構成も可能である。また，ガイド傾斜部１３が背板部２４の上に繋がって形成されているという構成も必須ではない。ガイド傾斜部１３と背板部２４とを別々に構成することも可能である。ただし，本実施形態のようにガイド傾斜部１３と背板部２４とが繋がっていた方が，カードが引っかかる可能性がある箇所を減らすという点ではより有利である。
【００５１】
また，容器１におけるカードホルダ１０の取り付け場所は，その短辺側の側壁面に限らず，長辺側の側壁面に配置してもよい。また，容器１のサイズと取り付けるカードのサイズとの関係によっては，１つのカードホルダ取付領域６に複数個のカードホルダ１０を並べて取り付ける構成もあり得る。また，容器１の側壁の内面側にカードホルダ１０を取り付ける構成も可能である。なお，一旦容器１にカードホルダ１０を取り付けた後，接着剤または溶接により，カードホルダ１０を容器１に半永久的に固定した状態としてもよい。
【符号の説明】
【００５２】
１          容器
３          側壁板
６          カードホルダ取付領域
１０，３０  カードホルダ
１１        基部
１２        挟着部
１３，３３  ガイド傾斜部
１５，１６  脚部
１８，３８  傾斜面（傾斜領域）
２１        傾斜面（第２ガイド傾斜部，第３ガイド傾斜部）
２２        傾斜面（第３ガイド傾斜部）
２４        背板部
２５        面（端面）
４１        上フランジ部
５１        第１縦リブ
５２        第２縦リブ
【図１】
0006325383.tif 000002
【図２】
0006325383.tif 000003
【図３】
0006325383.tif 000004
【図４】
0006325383.tif 000005
【図５】
0006325383.tif 000006
【図６】
0006325383.tif 000007
【図７】
0006325383.tif 000008
【図８】
0006325383.tif 000009
【図９】
0006325383.tif 000010
【図１０】
0006325383.tif 000011
【図１１】
0006325383.tif 000012
【図１２】
0006325383.tif 000013
【図１３】
0006325383.tif 000014
【図１４】
0006325383.tif 000015
【図１５】
0006325383.tif 000016
【図１６】
0006325383.tif 000017